(57)【要約】  【課題】  光ディスクの判別時間を短縮し、正確なディスク判別を小さい処理負荷で実現可能な光ディスク装置を提供する。  【解決手段】  光源１１０からの出射光１１１は、対物レンズ１４０を通過し、光ディスク１０で反射され、再度対物レンズ１４０を通過した後、ホログラム１５０によって、対物レンズ１４０の内周部分を通過した内周光１１１Ａと対物レンズ１４０の外周部分を通過した外周光１１１Ｐとに分割される。内周光１１１Ａから内周ＦＥ信号が生成され、外周光１１１Ｐから外周ＦＥ信号Ｓ２１２Ｐが生成される。フォーカスサーチの際に、Ｓ字検出器２２１Ａが内周ＦＥ信号Ｓ２１２Ａのゼロレベルのタイミングを検出し、Ｓ字検出器２２１Ｐが外周ＦＥ信号Ｓ２１２Ｐのゼロレベルのタイミングを検出し、そのタイミング差をタイマカウンタ２２２が計時する。当該タイミング差に基づいてディスク判別手段３００が光ディスク１０の種類を判別する。【選択図】      図４
2006221683.tif 000002
【特許請求の範囲】
【請求項１】
光源と、
前記光源からの光を光ディスクへ照射する対物レンズと、
前記対物レンズを通過した前記光のフォーカス位置を光軸方向に移動させるフォーカス
動作を行うフォーカス制御手段と、
前記光ディスクで反射した前記光を前記対物レンズの内周部分を通過した内周光と前記
対物レンズの外周部分を通過した外周光とに分割する光分割手段と、
前記内周光から内周フォーカスエラー信号を生成する内周フォーカスエラー信号生成手
段と、
前記外周光から外周フォーカスエラー信号を生成する外周フォーカスエラー信号生成手
段と、
前記フォーカス動作の際に前記内周フォーカスエラー信号と前記外周フォーカスエラー
信号とのゼロレベル時のタイミング差を検出するタイミング差検出手段と、
前記タイミング差に基づいて前記光ディスクの種類を判別するディスク判別手段と、を
備えることを特徴とする光ディスク装置。
【請求項２】
光源と、
前記光源からの光を光ディスクへ照射する対物レンズと、
前記光ディスクで反射した前記光を前記対物レンズの内周部分を通過した内周光と前記
対物レンズの外周部分を通過した外周光とに分割する光分割手段と、
前記内周光と前記外周光とを比較して比較結果を出力する比較手段と、
前記比較結果に基づいて前記光ディスクの種類を判別するディスク判別手段と、を備え
ることを特徴とする光ディスク装置。
【請求項３】
前記光ディスク装置は、前記対物レンズを通過した前記光のフォーカス位置を光軸方向
に移動させるフォーカス動作を行うフォーカス制御手段をさらに備え、
前記比較手段は、前記フォーカス動作の際に前記内周光のフォーカスが前記光ディスク
の情報記録面に一致するタイミングと前記外周光のフォーカスが前記情報記録面に一致す
るタイミングとのタイミング差を前記比較結果として出力するフォーカスタイミング差検
出手段を含み、
前記ディスク判別手段は、前記タイミング差に基づいて前記光ディスクの種類を判別す
ることを特徴とする請求項２に記載の光ディスク装置。
【請求項４】
前記対物レンズは０．８以上の開口数を有することを特徴とする請求項３に記載の光デ
ィスク装置。
【請求項５】
前記フォーカス動作はフォーカスサーチであることを特徴とする請求項２ないし請求項
４のいずれかに記載の光ディスク装置。
【発明の詳細な説明】
【技術分野】
【０００１】
本発明は、光ディスク装置に関し、特に当該光ディスク装置における光ディスク判別技
術に関する。
【背景技術】
【０００２】
近年、ＣＤ（Compact Disc）、ＤＶＤ(Digital Versatile Disc)、ＢＤ(Blu-Ray Disc)
等の複数の種類の光ディスクを単一の光ディスク装置で利用すべく開発が進められている
。そのような光ディスク装置では、挿入された光ディスクの種類を判別する必要がある。
【０００３】
光ディスク判別技術として、例えば、挿入された光ディスクに対して光ディスクの種類
（ＣＤ、ＤＶＤ、ＢＤ）別に設けられた所定波長の光（例えば７５０ｎｍ、６５０ｎｍ、
４０５ｎｍ）を順次に切り替えて照射することによって、取り扱い可能な光ディスクか否
かを判別する技術が考えられる。
【０００４】
また、他の光ディスク判別技術として、特許文献１には、光ディスクからの反射光量を
示す信号の波形の対称性に基づいて情報面の深さを特定して光ディスクの種類を判別する
技術が開示されている（特許文献１の［００６８］，［００７６］参照）。
【０００５】
また、特許文献２および特許文献３には、判別対象の光ディスクについて光電変換手段
によるフォーカス応答信号（フォーカスエラー信号、サブビーム和信号またはこれら双方
の信号）の波形情報を取得し、あらかじめ各種類の光ディスクについて開口数（ＮＡ）ご
とに取得した（すなわちＤＶＤモードとＣＤモードとで取得した）フォーカス応答信号の
波形情報と照合することによって、光ディスクの種類を判別する技術が開示されている（
特許文献２の［００２７］，［００３３］〜［００６２］，［００７２］〜［００７３］
および特許文献３の［００２９］，［００３５］〜［００６４］，［００７４］〜［００
７５］参照）。このとき、両文献２，３には、光ディスクの回転を停止した状態で、フォ
ーカス制御手段を強制的に所定状態に動作させ、またＮＡを切換えてみて、この動作に伴
って変化して得られる光電変換手段のフォーカス応答信号を取得する。
【特許文献１】特開２００４−１１１０２８号公報（［０００８］〜［０００９］，［００６８］，［００７６］）
【特許文献２】特開平１０−４９８８５号公報（［００２７］，［００３３］〜［００６２］，［００７２］〜［００７３］）
【特許文献３】特開平１０−５５６０２号公報（［００２９］，［００３５］〜［００６４］，［００７４］〜［００７５］）
【特許文献４】特開２００４−２５３１１９号公報（［００９９］〜［０１０３］，［０１０４］〜［０１１５］）
【特許文献５】特開２００４−１２７４７３号公報（［００７０］〜［００７３］，［００７７］）
【特許文献６】特開２００２−３７３４４１号公報（［００５５］）
【特許文献７】特開２００３−９９９７０号公報（［００６２］）
【特許文献８】特開２００４−３１１００４号公報（［０００５］，［００６６］〜［００７４］，［００９１］〜［００９７］，［０１１０］〜［０１１３］，［０１２７］〜［０１３０］）
【特許文献９】特開平１０−５５５９９号公報（［０００５］〜［００１０］，［００２３］〜［００２６］，［００２９］〜［００３０］）
【特許文献１０】特開平１１−２３２７６８号公報（［０００４］〜［０００５］，［０００６］，［００１４］，［００２８］）
【発明の開示】
【発明が解決しようとする課題】
【０００６】
しかしながら、照射光を順次に切り替えることによって、取り扱い可能な光ディスクか
否かを判別する上記技術によれば、照射順によっては出射可能な光を全て利用しなければ
ならない場合があり、そのような場合にはディスク判別の時間が長くなってしまう。
【０００７】
また、特許文献１の上記技術によれば、光ディスクからの反射光量を示す信号の波形の
対称性を利用するので、すなわち信号波形全体の情報を利用するので、当該信号の一部に
でもノイズがのるとディスク判別の正確さが低くなると考えられる。また、信号波形全体
の情報を利用する場合にはディスク判別のための処理負荷、例えば回路やソフトウエアの
規模が大きくならざるを得ないと考えられる。これらの点は、フォーカス応答信号の波形
情報をあらかじめ準備された信号と照合する特許文献２および特許文献３の上記技術につ
いても同様であると考えられる。
【０００８】
本発明は、上述の課題を解決するためになされたものであり、光ディスクの判別時間を
短縮可能であり、さらに正確なディスク判別を小さい処理負荷で実現可能な光ディスク装
置を提供することを目的とする。
【課題を解決するための手段】
【０００９】
上記目的を達成するために、請求項１の本発明は、光源と、前記光源からの光を光ディ
スクへ照射する対物レンズと、前記対物レンズを通過した前記光のフォーカス位置を光軸
方向に移動させるフォーカス動作を行うフォーカス制御手段と、前記光ディスクで反射し
た前記光を前記対物レンズの内周部分を通過した内周光と前記対物レンズの外周部分を通
過した外周光とに分割する光分割手段と、前記内周光から内周フォーカスエラー信号を生
成する内周フォーカスエラー信号生成手段と、前記外周光から外周フォーカスエラー信号
を生成する外周フォーカスエラー信号生成手段と、前記フォーカス動作の際に前記内周フ
ォーカスエラー信号と前記外周フォーカスエラー信号とのゼロレベル時のタイミング差を
検出するタイミング差検出手段と、前記タイミング差に基づいて前記光ディスクの種類を
判別するディスク判別手段と、を備えることを特徴とする光ディスク装置を提供する。
【００１０】
この構成によれば、光ディスクで反射した光を内周光と外周光とに分割し、内周光およ
び外周光から内周フォーカスエラー信号と外周フォーカスエラー信号とのゼロレベル時の
タイミング差を検出し、当該タイミング差に基づいて光ディスクの種類を判別するので、
１回の光照射でディスク判別が可能である。このため、例えば挿入された光ディスクに対
して光ディスクの種類別に設けられた所定波長の光を順次に切り替えて照射することによ
って、取り扱い可能な光ディスクか否かを判別する技術と比べて、短時間にディスク判別
ができる。これにより光ディスク挿入後すばやく再生／記録ができるので、ユーザーにと
って使い勝手が良くなる。また、内周フォーカスエラー信号と外周フォーカスエラー信号
とのゼロレベル時のタイミング差を利用するので、フォーカスエラー信号の波形全体を利
用してディスクを判別する技術に比べて、ノイズの影響を受けにくい。したがって、正確
なディスク判別ができる。また、上記タイミング差に基づいてディスクを判別するので、
フォーカスエラー信号の波形全体を利用する上記技術と比べて、ディスク判別のための処
理負荷が小さくてすむ。
【００１１】
また、請求項２の発明は、光源と、前記光源からの光を光ディスクへ照射する対物レン
ズと、前記光ディスクで反射した前記光を前記対物レンズの内周部分を通過した内周光と
前記対物レンズの外周部分を通過した外周光とに分割する光分割手段と、前記内周光と前
記外周光とを比較して比較結果を出力する比較手段と、前記比較結果に基づいて前記光デ
ィスクの種類を判別するディスク判別手段と、を備えることを特徴とする光ディスク装置
を提供する。
【００１２】
この構成によれば、光ディスクで反射した光を内周光と外周光とに分割し、内周光と外
周光とを比較し、その比較結果に基づいて光ディスクの種類を判別するので、１回の光照
射でディスク判別が可能である。このため、例えば挿入された光ディスクに対して光ディ
スクの種類別に設けられた所定波長の光を順次に切り替えて照射することによって、取り
扱い可能な光ディスクか否かを判別する技術と比べて、短時間にディスク判別ができる。
これにより光ディスク挿入後すばやく再生／記録ができるので、ユーザーにとって使い勝
手が良くなる。
【００１３】
請求項３の発明では、請求項２の発明において、前記光ディスク装置は、前記対物レン
ズを通過した前記光のフォーカス位置を光軸方向に移動させるフォーカス動作を行うフォ
ーカス制御手段をさらに備え、前記比較手段は、前記フォーカス動作の際に前記内周光の
フォーカスが前記光ディスクの情報記録面に一致するタイミングと前記外周光のフォーカ
スが前記情報記録面に一致するタイミングとのタイミング差を前記比較結果として出力す
るフォーカスタイミング差検出手段を含み、前記ディスク判別手段は、前記タイミング差
に基づいて前記光ディスクの種類を判別する。
【００１４】
この構成によれば、内周光のフォーカスが光ディスクの情報記録面に一致するタイミン
グと外周光のフォーカスが上記情報記録面に一致するタイミングとのタイミング差を利用
してディスク判別をするので、フォーカス動作中の全期間にわたる全情報（例えばフォー
カスエラー信号の波形全体）を利用してディスクを判別する技術に比べて、ノイズの影響
を受けにくい。このため、正確なディスク判別ができる。また、上記タイミング差に基づ
いてディスクを判別するので、フォーカス動作中の全期間にわたる全情報を利用する上記
技術と比べて、ディスク判別のための処理負荷が小さくてすむ。
【００１５】
請求項４の発明では、請求項３の発明において、前記対物レンズは０．８以上の開口数
を有する。このため、当該対物レンズはいわゆる高開口数（高ＮＡ）レンズなので、大き
な球面収差に起因して上記タイミング差が大きくなる。したがって、ディスク判別をより
正確に行うことができる。
【００１６】
請求項５の発明では、請求項２ないし請求項４のいずれかの発明において、前記フォー
カス動作はフォーカスサーチである。このため、フォーカスサーチ時にディスク判別をす
るので、フォーカスサーチとは別途にディスク判別のためにフォーカス動作を実施する必
要がない。したがって、光ディスク挿入から再生／記録までの時間をいっそう短縮できる
ので、ユーザーにとって使い勝手が良くなる。
【００１７】
なお、特許文献１には、さらに、フォーカスエラー信号のレベルが０（ゼロ）になる状
態（ゼロクロス）すなわち光ビームの焦点が光ディスクの情報面に一致する状態において
フォーカス駆動発生器からの出力信号レベルに基づいて上記情報面の深さを検出し、検出
した深さに基づいて光ディスクの種類を判別する技術が開示されている（特許文献１の［
０００８］〜［０００９］参照）。
【００１８】
また、特許文献４には、高反射率ディスクに対応した設定でフォーカスサーチを行い、
ディスクからの反射光量の信号（フォトディテクタの４分割受光面からの光電変換信号の
和信号）のレベルの高低によって、挿入されたディスクが高反射率ディスクか低反射率デ
ィスクかを判別する技術が開示されている（特許文献４の［００９９］〜［０１０３］参
照）。また、特許文献４には、ディスク上に形成されるグルーブ（ピット）の深さによっ
ては、反射光情報として得られるプッシュプル信号（トラッキングエラー信号）やプルイ
ン信号（全光量信号すなわち上記和信号）において位相差が生ずる点に着目し、当該位相
差を判別することでディスクの判別をする技術が開示されている（特許文献４の［０１０
４］〜［０１１５］参照）。
【００１９】
また、特許文献５には、光記録媒体の挿入時に、青色、赤色のいずれかの光源を点灯さ
せてフォーカスサーチさせたときの戻り光量レベルなどにより光記録媒体を判別する技術
が開示されている（特許文献５の［００７７］参照）。
【００２０】
また、特許文献６には、光ディスクの種類の判別方法として、光ディスクを収納するカ
ートリッジに判別用の穴を開け、この穴を検出して判別する方法、カートリッジの形状に
より判別する方法、光ディスクからの反射光量より単層ディスクと２層ディスクを判別す
る方法が開示されている（特許文献６の［００５５］参照）。
【００２１】
また、特許文献７には、光ピックアップヘッドを光ディスクの内周側の所定の位置に移
動させた後、制御部がＬＤ（半導体レーザ）ドライバを制御してＬＤを再生パワーで発光
させ、続いて、光ディスク判別機構によって挿入された光ディスクの判別を行う技術が開
示されている（特許文献７の［００６２］参照）。
【００２２】
また、特許文献８には、ディスク基板の厚さの異なるＮ（Ｎ≧２）個の光ディスクに対
応したＮ個の集束光学系を備え、ディスクからの反射レーザ光によってディスク基板の板
厚の違いを判別する技術が開示されている（特許文献８の［０００５］参照）。さらに、
特許文献８には、対物レンズを情報担体に対して略垂直方向に移動させて情報面の前後で
光ビームの焦点を移動させ、情報担体からの反射光の検出結果に応じた信号と所定値とを
比較することによって、情報担体の種類を判別する技術が開示されており、かかる技術に
ついて、所定の開口数でまたは開口数を切り換えつつ判別を行う方法、所定の開口数およ
び波長でまたは開口数および波長を切り換えつつ判別を行う方法、ならびに、所定の開口
数、波長および球面収差補正量でまたは開口数、波長および球面収差補正量を切り換えつ
つ判別を行う方法が開示されている（特許文献８の［００６６］〜［００７４］，［００
９１］〜［００９７］，［０１１０］〜［０１１３］，［０１２７］〜［０１３０］参照
）。
【００２３】
また、特許文献９には、液晶シャッタ方式のピックアップユニットを有する光ディスク
プレーヤシステムにおいて、液晶シャッタをオフにした状態（ＤＶＤの再生時の設定状態
）でＣＤに対するフォーカスサーチ信号を検出した場合、ＤＶＤに対する同信号よりも信
号レベルが低い点を利用して、ディスクを判別する技術が開示されている（特許文献９の
［０００５］〜［００１０］参照）。さらに、特許文献９には、ホログラム素子方式の光
ピックアップユニットを有する光ディスクプレーヤシステムにおいて、光ピックアップユ
ニットにより集光されたビームを４分割フォトダイオードで受光し、４分割フォトダイオ
ードのうちトラック方向の中心から上下対称の２つのフォトダイオード対からそれぞれ出
力される信号の差を増幅して得られるプッシュプル信号のレベルが、ＤＶＤとＣＤとで異
なる点を利用して、ディスクを判別する技術が開示されている（特許文献９の［００２３
］〜［００２６］，［００２９］〜［００３０］参照）。
【００２４】
また、特許文献１０には、対物レンズをディスクに対して上下に移動させてディスク基
板表面からの反射光が検出された時点からディスク信号面からの反射光が検出された時点
までの時間差を計測し、この時間差からディスク表面から信号面までの厚さを計算するこ
とにより、ディスクを判別する技術が開示されている（特許文献１０の［０００４］〜［
０００５］参照）。また、特許文献１０には、ディスクからの反射信号の強度の違いから
ディスクを判別する方法や、ディスクの種類によってピット深さやトラックピッチが異な
ることを利用する方法が開示されており、これによれば合焦状態でトラッキングエラー信
号を検出し、その信号を利用してディスク種類が判別される（特許文献１０の［０００６
］参照）。また、特許文献１０には、合焦状態で再生信号レベルを比較する技術が開示さ
れている（特許文献１０の［０００６］参照）。さらに、特許文献１０には、ディスクの
厚さが異なった場合、対物レンズの設計条件に起因して発生する球面収差によって、光検
出器上のスポットが、最も集光された状態でもディスク厚さが正規の場合と比較して広が
った状態にしかならないことを利用して、ディスク判別を行う技術が開示されている。具
体的には、フォーカスサーチ時に得られたフォーカスエラー信号の振幅と総和信号の振幅
を計測して比較し、総和信号の振幅に対してフォーカスエラー信号の振幅があらかじめ定
めたスレッシュホールドレベルに対して、大きいか、あるいは小さいかを判定することに
より、ディスクの厚さを判別する（特許文献１０の［００１４］，［００２８］参照）。
【００２５】
しかしながら、特許文献１〜１０の上記技術のいずれも、光ディスクで反射した光を対
物レンズの内周部分を通過した内周光と対物レンズの外周部分を通過した外周光とに分割
し、内周光と外周光とを比較し、その比較結果に基づいて光ディスクの種類を判別するも
のではない。また、内周フォーカスエラー信号と外周フォーカスエラー信号とのゼロレベ
ル時のタイミング差や、内周光のフォーカスが光ディスクの情報記録面に一致するタイミ
ングと外周光のフォーカスが上記情報記録面に一致するタイミングとのタイミング差を利
用するものでもない。
【００２６】
なお、上記特許文献５には、さらに、検出レンズを通過する戻り光束に球面収差が発生
しているときには、戻り光束の基準波面に対して、光軸中心に同心円状に「波面の遅れ」
があり、基準波面を集光したときの集光点に対し遅れた波面が集光する位置はデフォーカ
スとなる点に着目し、遅れた波面と進んだ波面の差を取り出してフォーカス状態を検出す
ることで「球面収差の波面の発生状況」を知るための技術が開示されている（特許文献５
の［００７０］〜［００７３］参照）。具体的には、光束分割手段としてホログラムを配
置し、分割された各々の光束を検知できるように受光領域が２分割された受光素子を利用
する。しかしながら、当該技術は上述の構成によって球面収差の発生を知るための信号を
得、この信号で液晶素子を制御し、球面収差を補正・緩和するものであり、当該信号をデ
ィスク判別に利用するものではない。さらに、当該技術は信号のレベルを利用するもので
あり、内周フォーカスエラー信号と外周フォーカスエラー信号とのゼロレベル時のタイミ
ング差や、内周光のフォーカスが光ディスクの情報記録面に一致するタイミングと外周光
のフォーカスが情報記録面に一致するタイミングとのタイミング差を利用するものではな
い。
【発明の効果】
【００２７】
以上のように、本発明によれば、光ディスクの判別時間を短縮でき、これにより光ディ
スク挿入後すばやく再生／記録ができるので、ユーザーにとって使い勝手が良くなる。さ
らに、本発明によれば、正確なディスク判別を小さい処理負荷で実現できる。
【発明を実施するための最良の形態】
【００２８】
まず図１に本発明の原理を説明するための模式図を示す。図１に示すように、ＣＤ（Co
mpact Disc）、ＤＶＤ(Digital Versatile Disc)、ＢＤ(Blu-Ray Disc)等の光ディスク１
０の基本構造は、基板１１と、基板１１上の情報記録面１２と、情報記録面１２上の保護
層１３とから成る。そして、光ディスク１０の再生／記録は、光１１１を保護層１３側か
ら対物レンズ１４０を通して情報記録面１２に照射することにより行われる。
【００２９】
光ディスク１０の再生／記録時には光１１１を集束させてフォーカスを情報記録面１２
に一致させる必要があり、このときいわゆる球面収差を抑制排除する必要がある。なぜな
らば、球面収差はフォーカス等のサーボ制御を不安定にし、その結果、光ディスク１０の
再生／記録が適切に実行できなくなるからである。ここで、球面収差とは、光１１１のう
ちで対物レンズ１４０の内周部分（中央部分、換言すれば中心を含み当該中心付近の部分
）１４０Ａを通る光（以下「内周光」と呼ぶ）１１１Ａと、光１１１のうちで対物レンズ
１４０の外周部分（内周部分１４０Ａを取り巻く部分）１４０Ｐを通る光（以下「外周光
」と呼ぶ）１１１Ｐと、の光軸方向におけるフォーカス位置のずれまたはそのずれ量をい
う。なお、図１には球面収差が補正されて発生していない状態を図示している。
【００３０】
球面収差（の量）は、光ディスク１０の保護層１３の屈折率をｎ、当該保護層１３の厚
さをｄ、対物レンズ１４０の開口数をＮＡ、光１１１の波長をλとすると、一般的に（（
ｎ2−１）／（８ｎ3））×（ｄ×ＮＡ4／λ）という式で与えられる。これによれば、Ｂ
Ｄ対応の対物レンズ１４０のように開口数の高いレンズほど球面収差が大きくなるが、開
口数が高いほど光ディスク１０への入射角が深くなるため内周光１１１Ａと外周光１１１
Ｐとで光路長（図１中の矢印部分を参照）の差が大きくなるからであると考えられる。
【００３１】
また、上記式によれば、保護層１３が厚いほど球面収差は大きくなる。このとき、保護
層１３の厚さｄについて、ＢＤは０．１ｍｍ、ＤＶＤは０．６ｍｍ、ＣＤは１．２ｍｍで
あることにかんがみれば、上記式中の他の要素が同じ場合、ＢＤ、ＤＶＤ、ＣＤの順で球
面収差が大きくなる（ＢＤ＜ＤＶＤ＜ＣＤ）。つまり、球面収差の量（大きさ）によって
光ディスク１０がＢＤ，ＤＶＤ，ＣＤのいずれであるかの判別ができる。
【００３２】
図２に本発明の一実施形態に係る光ディスク装置１のブロック図を示す。なお、図２に
は説明のために光ディスク１０も図示している。図２に示すように、光ディスク装置１は
、光源１１０と、ビームスプリッタ１２０と、収差調整器１３０と、対物レンズ１４０と
、光分割手段としてのホログラム１５０と、比較手段２００と、ディスク判別手段３００
と、フォーカス制御手段４００と、収差設定器５００と、を含んでいる。
【００３３】
詳細には、光源１１０から出射された光１１１がビームスプリッタ１２０、収差調整器
１３０および対物レンズ１４０をこの順序で通過して光ディスク１０に照射されるように
、かつ、光ディスク１０で反射された（より詳細には情報記録面１２（図１参照）で反射
された）光１１１が対物レンズ１４０および収差調整器１３０をこの順序で通過し、ビー
ムスプリッタ１２０で反射され、ホログラム１５０を通過して比較手段２００へ導かれる
ように、光源１１０、ビームスプリッタ１２０、収差調整器１３０、対物レンズ１４０お
よびホログラム１５０が配置されている。
【００３４】
光源１１０は、ＣＤ用のレーザ光１１１（波長７５０ｎｍ）、ＤＶＤ用のレーザ光１１
１（波長６５０ｎｍ）およびＢＤ用のレーザ光１１１（波長４０５ｎｍ）を選択的に出射
可能に構成されている。ビームスプリッタ１２０は、光源１１０の側から対物レンズ１４
０の側へ進む光１１１を通過させる一方で、その反対向きの光１１１すなわち対物レンズ
１４０の側から光源１１０の側へ進む光１１１を反射してその進行方向を変える。収差調
整器１３０は例えば２枚のレンズから成るエキスパンダーレンズで構成され、当該２枚の
レンズの間隔を調整することによって球面収差を低減・解消させるものであり、その間隔
は収差設定器５００によって設定される。対物レンズ１４０の開口数（ＮＡ）は０．８以
上であり、いわゆる高ＮＡレンズに分類される物である。対物レンズ１４０はフォーカス
制御手段４００の制御下で光軸方向に移動可能に配置されており、対物レンズ１４０の移
動によって当該対物レンズ１４０を通過した光１１１のフォーカス位置が光軸方向に移動
し（かかる移動およびその移動制御を「フォーカス動作」と呼ぶことにする）、これによ
って光ディスク１０に対する光１１１のフォーカス状態が変化する。
【００３５】
ここで、図３にホログラム１５０の模式的な平面図を示す。図３に示すように、ホログ
ラム１５０の回折パターンは、対物レンズ１４０の内周部分１４０Ａ（図１参照）に対向
する部分と対物レンズ１４０の外周部分１４０Ｐ（図１参照）に対向する部分とで形成方
向が異なっており、図３では９０°異なる例を図示している。このようなホログラム１５
０によって、光ディスク１０で反射されビームスプリッタ１２０によって導かれた光１１
１を対物レンズ１４０の内周部分１４０Ａを通過した内周光１１１Ａおよび対物レンズ１
４０の外周部分１４０Ｐを通過した外周光１１１Ｐに分割できる（図２参照）。
【００３６】
図２に戻り、比較手段２００は、内周光１１１Ａおよび外周光１１１Ｐを別々に受光し
、内周光１１１Ａと外周光１１１Ｐとを比較し、その比較結果に関する信号Ｓ２２２をデ
ィスク判別手段３００へ出力する。ディスク判別手段３００は比較結果信号Ｓ２２２に基
づいて光ディスク１０の種類を判別する。比較手段２００およびディスク判別手段３００
については後に詳述する。なお、比較手段２００は後述の信号Ｓ２１２を生成し、当該信
号Ｓ２１２はフォーカス制御手段４００による対物レンズ１４０のフォーカス動作（例え
ば後述のフォーカスサーチ）に利用される。
【００３７】
次に、図４に光ディスク装置１のより具体的なブロック図を示す。まず、図４に示すよ
うに、フォーカス制御手段４００はアクチュエータ４１０と駆動回路４２０とを含んでい
る。アクチュエータ４１０は、例えば電磁力を利用して対物レンズ１４０を光軸方向に移
動させるため手段であり、図４では図面の煩雑を避けるため模式的に図示している。駆動
回路４２０は、信号Ｓ２１２に基づいてアクチュエータ４１０を駆動・制御する。かかる
構成によって、フォーカス制御手段４００はフォーカス動作を行う（対物レンズ１４０を
通過した光１１１のフォーカス位置を光軸方向に移動させる）。
【００３８】
図４に示すように、比較手段２００は、内周フォーカスエラー信号生成手段２１０Ａと
、外周フォーカスエラー信号生成手段２１０Ｐと、タイミング差検出手段２２０とを含ん
でいる。なお、以下の説明および図面では「フォーカスエラー」の略記として「ＦＥ」な
る表現も用いる。
【００３９】
内周ＦＥ信号生成手段２１０Ａは、例えばフォトダイオードで構成される光検出器２１
１ＡとＦＥ信号生成器２１２Ａとを含んでおり、ホログラム１５０によって分割された光
のうちの内周光１１１Ａから、いわゆる非点収差法によって内周ＦＥ信号Ｓ２１２Ａを生
成する。ここで、図５中の（ａ）に光検出器２１１Ａの模式的な平面図を示し、図６に光
ディスク装置１における内周ＦＥ信号Ｓ２１２Ａおよび後述の外周ＦＥ信号Ｓ２１２Ｐの
生成を説明するための模式図を示す。
【００４０】
図５中の（ａ）に示すように、光検出器２１１Ａの受光面はその中心２１１ＡＣを通っ
て等分に４分割されている。換言すれば光検出器２１１Ａは上記中心２１１ＡＣの周りに
マトリクス状（または２次元的に）並んだ４つの受光面Ａ，Ｂ，Ｃ，Ｄを有している。そ
して、図６に示すように、光検出器２１１Ａは、内周光１１１Ａの光軸が受光面の中心２
１１ＡＣを通るように配置されて、内周光１１１Ａを受光する。各受光面Ａ，Ｂ，Ｃ，Ｄ
は受光光量に応じたレベルの信号を出力する。なお、図４では図面の煩雑を避けるため、
各受光面Ａ，Ｂ，Ｃ，Ｄからの出力信号Ａ，Ｂ，Ｃ，Ｄ（説明の簡単のため受光面と同じ
符号を用いることにする）を１つにまとめて、光検出器２２１Ａからの出力信号として、
図示している。
【００４１】
図６に示すように、ＦＥ信号生成器２１２Ａは光検出器２１１Ａからの信号すなわち各
受光面Ａ，Ｂ，Ｃ，Ｄからの出力信号Ａ，Ｂ，Ｃ，Ｄを取得し、これらの信号Ａ，Ｂ，Ｃ
，Ｄから内周ＦＥ信号Ｓ２１２Ａを生成する。いわゆる非点収差法によれば、内周ＦＥ信
号Ｓ２１２Ａは、受光面の中心２１１ＡＣを挟んで並ぶ受光面Ａ，Ｃからの出力信号の和
（Ａ＋Ｃ）と上記中心２１１ＡＣを挟んで並ぶ受光面Ｂ，Ｄからの出力信号の和（Ｂ＋Ｄ
）との差｛（Ａ＋Ｃ）−（Ｂ＋Ｄ）｝で与えられる。かかる演算によってＦＥ信号生成器
２１２Ａは内周ＦＥ信号Ｓ２１２Ａを生成する。
【００４２】
図４に戻り、内周ＦＥ信号生成手段２１０Ａと同様に、外周ＦＥ信号生成手段２１０Ｐ
は、光検出器２１１ＰとＦＥ信号生成器２１２Ｐとを含んでおり、ホログラム１５０によ
って分割された光のうちの外周光１１１Ｐから、いわゆる非点収差法によって外周ＦＥ信
号Ｓ２１２Ｐを生成する。ここで、図５中の（ｂ）に光検出器２１１Ｐの模式的な平面図
を示す。図５中の（ｂ）に示すように光検出器２１１Ｐは、同図中の（ａ）に示す光検出
器２１１Ａと同様に４分割フォトダイオードから成り、図６に示すように４つの受光面Ｐ
，Ｑ，Ｒ，Ｓが上述の４つの受光面Ａ，Ｂ，Ｃ，Ｄと同様の位置関係になるようにかつ外
周光１１１Ｐの光軸が光検出器２１１Ｐの受光面の中心２１１ＰＣを通るように配置され
て、外周光１１１Ｐを受光する。ＦＥ信号生成器２１２Ｐは、上述のＦＥ信号生成器２１
２Ａと同様に、光検出器２１１Ｐからの信号すなわち光検出器２１１Ｐの各受光面Ｐ，Ｑ
，Ｒ，Ｓからの出力信号Ｐ，Ｑ，Ｒ，Ｓ（説明の簡単のため受光面と同じ符号を用いるこ
とにする）を取得し、｛（Ｐ＋Ｒ）−（Ｑ＋Ｓ）｝なる演算によって外周ＦＥ信号Ｓ２１
２Ｐを生成する。
【００４３】
なお、図４に示すように、内周ＦＥ信号Ｓ２１２Ａおよび外周ＦＥ信号２１２Ｐは、タ
イミング差検出手段２００へ送信されるとともに、フォーカス制御手段４００の駆動回路
４２０にも送信される。このとき、内周ＦＥ信号Ｓ２１２Ａおよび外周ＦＥ信号２１２Ｐ
の総称が既述の信号Ｓ２１２にあたる（図２および図４を参照）。
【００４４】
ここで、図７に、フォーカス動作時における（すなわち対物レンズ１４０の移動によっ
て当該対物レンズ１４０を通過した光１１１のフォーカス位置を光軸方向に移動させた場
合における）内周ＦＥ信号Ｓ２１２Ａおよび外周ＦＥ信号Ｓ２１２Ｐの波形図を示す。図
７中（ａ）〜（ｃ）としてＢＤ，ＤＶＤおよびＣＤのそれぞれについて図示している。な
お、波形図において、縦軸は信号のレベルを示し、横軸は時間またはフォーカス動作によ
る対物レンズ１４０（図２参照）の位置を示す。
【００４５】
図７に示すように、光ディスク１０の種類にかかわらず、内周ＦＥ信号Ｓ２１２Ａおよ
び外周ＦＥ信号Ｓ２１２ＰはいずれもいわゆるＳ字波形を描くが、単一の光ディスク１０
において内周ＦＥ信号Ｓ２１２Ａと外周ＦＥ信号Ｓ２１２Ｐとは時間軸（横軸）方向にす
なわち時間的にずれている。特にこのずれ量Ｄ２１２は光ディスク１０の種類によって異
なっており、ＢＤ，ＤＶＤ，ＣＤの順で大きくなる（ＢＤ＜ＤＶＤ＜ＣＤ）。ここで、既
述のように保護層１３が厚いほど球面収差は大きくなり、ＢＤ、ＤＶＤ、ＣＤの順で球面
収差が大きくなる（ＢＤ＜ＤＶＤ＜ＣＤ）ことにかんがみれば、上記ずれ量Ｄ２１２は球
面収差の大きさと相関することがわかる。そこで、光ディスク装置１では、当該ずれ量Ｄ
２１２の相違に着目して光ディスク１０の種類を判別する。次に、ずれ量Ｄ２１２を検出
するためのタイミング差検出手段２２０を説明する。
【００４６】
図４に戻り、タイミング差検出手段２２０は、内周ＦＥ信号Ｓ２１２Ａと外周ＦＥ信号
Ｓ２１２Ｐとのずれ量Ｄ２１２（図７参照）を、内周ＦＥ信号Ｓ２１２Ａが“０“レベル
（ゼロレベル）になるタイミングと外周ＦＥ信号Ｓ２１２Ｐがゼロレベルになるタイミン
グとの差で以て検出する。なお、当該タイミング差についても符号Ｄ２１２を用いること
にする。
【００４７】
ここでのゼロレベルのタイミングとはＳ字波形中央におけるゼロレベルのことであり、
このゼロレベルは光１１１Ａ，１１１Ｐのフォーカスが情報記録面１２（図１参照）に一
致した際に生じる。つまり、球面収差が生じている状態では光１１１Ａ，１１１Ｐのフォ
ーカスは光軸方向にずれており、かかる状態で対物レンズ１４０を光軸方向に移動させる
と、光１１１Ａ，１１１Ｐのフォーカスが情報記録面１２（図１参照）に一致するタイミ
ングに差が生じるのであり、かかる点からもゼロレベルのタイミングのずれ量Ｄ２１２が
球面収差の大きさと相関することがわかる。
【００４８】
図４に示すように、タイミング差検出手段２２０は、Ｓ字検出手段を成すＳ字検出器２
２１Ａ，２２１Ｐと、タイマカウンタ２２２とを含んでいる。Ｓ字検出器２２１Ａは、内
周ＦＥ信号Ｓ２１２Ａを取得し、当該信号Ｓ２１２Ａがゼロレベルになるタイミングを検
出し、このタイミングに同期してトリガ信号をタイマカウンタ２２２へ出力する。同様に
、Ｓ字検出器２２１Ｐは、外周ＦＥ信号Ｓ２１２Ｐを取得し、当該信号Ｓ２１２Ｐがゼロ
レベルになるタイミングを検出し、このタイミングに同期してトリガ信号をタイマカウン
タ２２２へ出力する。
【００４９】
タイマカウンタ２２２は、Ｓ字検出器２２１Ａからのトリガ信号の受信によって計時を
開始しＳ字検出器２２１Ｐからのトリガ信号の受信によって計時を終了することによって
、受信タイミングの差すなわち内周ＦＥ信号Ｓ２１２Ａと外周ＦＥ信号Ｓ２１２Ｐとのゼ
ロレベル時のタイミング差Ｄ２１２を取得する。または、タイマカウンタ２２２は、各ト
リガ信号でキャプチャしたカウント値の差を算出することによってタイミング差Ｄ２１２
を取得する。そして、当該タイミング差Ｄ２１２を信号Ｓ２２２としてディスク判別手段
３００へ出力する。なお、フォーカス動作における対物レンズ１４０の移動方向によって
は、Ｓ字検出器２２１Ａ，２２１Ｐからのトリガ信号が上述とは逆順の場合もある。
【００５０】
このように、内周ＦＥ信号生成手段２１０Ａと外周ＦＥ信号生成手段２１０Ｐとタイミ
ング差検出手段２２０とを含んで成る比較手段２００は、内周光１１１Ａおよび外周光１
１１Ｐとを比較することによって、より具体的には内周光１１１Ａから得られる内周ＦＥ
信号Ｓ２１２Ａと外周光１１１Ｐから得られる外周ＦＥ信号Ｓ２１２Ｐとのゼロレベル時
のタイミングを比較することによって、球面収差量の相関量または相関データであるタイ
ミング差Ｄ２１２を取得し、当該タイミング差Ｄ２１２を比較結果信号Ｓ２２２として出
力する。
【００５１】
ディスク判別手段３００は、タイミング差検出手段２２０のタイマカウンタ２２２から
の信号Ｓ２２２を受信し、当該信号Ｓ２２２すなわち上記タイミング差Ｄ２１２に基づい
て、光ディスク１０の種類を判別する。例えば、タイミング差検出手段２２０から受信し
たタイミング差Ｄ２１２と、光ディスク１０の種類（ＣＤ，ＤＶＤ，ＢＤ等）ごとにあら
かじめ取得したタイミング差Ｄ２１２と、を比較することによって、光ディスク１０の種
類判別は可能である。このような比較機能は比較器等の回路によってまたはソフトウエア
によって実現可能である。
【００５２】
なお、タイミング差Ｄ２１２（図７参照）は球面収差が発生していない状態では０（ゼ
ロ）になるので、ディスク判別の際には収差調整器１３０の機能をオフに設定して球面収
差を発生させる必要がある。
【００５３】
また、内周ＦＥ信号Ｓ２１２Ａおよび外周ＦＥ信号Ｓ２１２ＰについてＳ字波形（図７
参照）を得るためには、光ディスク１０が回転している必要はないが、フォーカス動作、
すなわち内周光１１１Ａおよび外周光１１１Ｐのフォーカス位置を光軸方向に移動させる
ことを要する。この点、光ディスク装置１では、フォーカス動作の一つである、いわゆる
フォーカスサーチの際に得られる内周光１１１Ａおよび外周光１１１Ｐを利用して上述の
ディスク判別を実行する。ここで、フォーカスサーチとは、光ディスク１０の挿入後に、
フォーカス位置または上記Ｓ字波形の出現範囲を探すためや、収差を検出して収差調整器
１３０および収差設定器５００の設定をするために、再生／記録に先立って行われるフォ
ーカス動作である。このため、光ディスク装置１によれば、フォーカスサーチとは別途に
、例えばフォーカスサーチ後にあらためて、ディスク判別のためにフォーカス動作をする
場合と比べて、光ディスク挿入から再生／記録までの時間を短縮できる。その結果、ユー
ザーにとっては使い勝手が良い。
【００５４】
なお、図４の光ディスク装置１において、比較手段２００は、光検出器２１１Ａ，２１
１Ｐと、ＦＥ信号生成器２１２Ａ，２１２Ｐと、Ｓ字検出器２２１Ａ，２２１Ｐと、タイ
マカウンタ２２２とを含んでおり、フォーカス制御手段４００は、アクチュエータ４１０
と、駆動回路４２０とを含んでいる。また、図４の光ディスク装置１において、光源１１
０と、ビームスプリッタ１２０と、収差調整器１３０と、対物レンズ１４０と、ホログラ
ム１５０と、光検出器２１１Ａ，２１１Ｐと、アクチュエータ４１０とを含む構成がいわ
ゆる光ヘッド１００を成す。このため、比較手段２００と光ヘッド１００とで光検出器２
１１Ａ，２１１Ｐを共有しており、フォーカス制御手段４００と光ヘッド１００とでアク
チュエータ４１０を共有している。
【００５５】
上述のように、光ディスク装置１では、光ディスク１０で反射した光１１１を内周光１
１１Ａと外周光１１１Ｐとに分割し、内周光１１１Ａと外周光１１１Ｐとを比較し、その
比較結果に基づいてディスク判別する。より具体的には、内周光１１１Ａおよび外周光１
１１Ｐから内周ＦＥ信号Ｓ２１２Ａと外周ＦＥ信号Ｓ２１２Ｐとのゼロレベル時のタイミ
ング差Ｄ２１２を検出し、当該タイミング差Ｄ２１２に基づいて光ディスク１０の種類を
判別する。このため、１回の光照射でディスク判別が可能である。なお、この照射光はい
ずれの波長でも構わない。これに対して、挿入された光ディスク１０に対して光ディスク
１０の種類別に設けられた所定波長の光を順次に切り替えて照射することによって、取り
扱い可能な光ディスク１０か否かを判別する技術では、使用する光の数に比例して時間が
かかり、照射順序によっては出射可能な光を全て利用しなければならない場合がある。し
たがって、光ディスク装置１によれば、上述の照射光を切り替えてディスク判別をする技
術と比べて、短時間にディスク判別ができる。これにより光ディスク１０の挿入後すばや
く再生／記録ができるので、ユーザーにとって使い勝手が良い。
【００５６】
さらに、光ディスク装置１によれば、ディスク判別に内周ＦＥ信号Ｓ２１２Ａと外周Ｆ
Ｅ信号Ｓ２１２Ｐとのゼロレベル時のタイミング差Ｄ２１２を利用するので、すなわち信
号波形の一部のみを利用するので、フォーカスエラー信号の波形全体を利用してディスク
１０を判別する技術と比べて、ノイズの影響を受けにくく、このため正確なディスク判別
ができる。これは、ディスク判別に利用する波形の範囲が小さいほど当該範囲にノイズが
のる確率が低くなることによる。
【００５７】
このとき、対物レンズ１４０として０．８以上の開口数を有する、いわゆる高ＮＡレン
ズを用いているので、大きな球面収差に起因してタイミング差Ｄ２１２が大きくなる。こ
のため、ディスク判別をより正確に行うことができる。
【００５８】
また、信号波形全体の情報を利用する上述の技術ではディスク判別のための処理（例え
ばディスク判別に利用する情報の取得およびその情報の処理）の負担、例えば回路やソフ
トウエアの規模が大きくならざるを得ないと考えられる。しかし、光ディスク装置１によ
れば、上記タイミング差Ｄ２１２に基づいてディスクを判別するので、タイミング差Ｄ２
１２の取得および当該タイミング差Ｄ２１２によるディスク判別処理は、波形全体を利用
する上記技術と比べて小さくてすむ。
【００５９】
ところで、図７によれば、内周ＦＥ信号Ｓ２１２Ａと外周ＦＥ信号Ｓ２１２Ｐとの時間
軸方向の波形のずれは両信号Ｓ２１１Ａ，Ｓ２１２Ｐ間の位相差に相関し、上記ずれ量Ｄ
２１２が大きいほど位相差は大きくなることがわかる。かかる点にかんがみれば、タイミ
ング差検出手段２２０を「位相差検出手段２２０」と呼ぶこともでき、また、当該位相差
にも符号Ｄ２１２を用いることにする。このとき、当該位相差検出手段２２０は、内周光
１１１Ａと外周光１１１Ｐとを比較することによって、より具体的にはフォーカスサーチ
の際に内周ＦＥ信号Ｓ２１２Ａと外周ＦＥ信号Ｓ２１２Ｐとを比較することによって、球
面収差量の相関量または相関データである両信号Ｓ２１２Ａ，Ｓ２１２Ｐ間の位相差Ｄ２
１２を取得し、これを比較結果信号Ｓ２２２として出力する。かかる場合にも上述の効果
が得られる。
【００６０】
さらに、既述のように、内周ＦＥ信号Ｓ２１２ＡがＳ字波形中央においてゼロレベルの
ときに、内周光１１１Ａのフォーカスは光ディスク１０の情報記録面１２（図１参照）に
一致している。同様に、外周ＦＥ信号Ｓ２１２ＰがＳ字波形中央においてゼロレベルのと
きに、外周光１１１Ｐのフォーカスは光ディスク１０の情報記録面１２（図１参照）に一
致している。このため、フォーカス動作の際における内周ＦＥ信号Ｓ２１２Ａと外周ＦＥ
信号Ｓ２１２Ｐとのゼロレベル時のタイミング差Ｄ２１２（図７参照）は、内周光１１１
Ａと外周光１１１Ｐとについてフォーカスが情報記録面１２に一致するタイミングの差（
「フォーカスタイミング差」と呼ぶことにする）にほかならない。このため、フォーカス
タイミング差についても符号Ｄ２１２を用いることにする。このような観点から見た場合
の光ディスク装置１のブロック図を図８に示す。
【００６１】
図８と既述の図４とを比較すればわかるように両図において構成要素自体は同じである
が、図８においては、光検出器２１１Ａ，２１１Ｐと、ＦＥ信号生成器２１２Ａ，２１２
Ｐと、Ｓ字検出器２２１Ａ，２２１Ｐと、タイマカウンタ２２２とを含んで成る構成がフ
ォーカスタイミング差検出手段２３０を形成している。フォーカスタイミング差検出手段
２３０は、比較手段２００内に設けられており、内周光１１１Ａと外周光１１１Ｐとを比
較することによって、より具体的にはフォーカスサーチ時において内周光１１１Ａのフォ
ーカスが情報記録面１２（図１参照）に一致するタイミングと外周光１１１Ｐのフォーカ
スが情報記録面１２に一致するタイミングとを比較することによって、球面収差量の相関
量または相関データであるフォーカスタイミング差Ｄ２１２を取得し、当該フォーカスタ
イミング差Ｄ２１２を比較結果信号Ｓ２２２として出力する。かかる場合にも上述の効果
が得られる。
【００６２】
なお、内周ＦＥ信号Ｓ２１２Ａおよび外周ＦＥ信号Ｓ２１２Ｐの取得に、いわゆるナイ
フエッジ法を利用してもよい（これによってもＳ字波形が得られる）。また、ホログラム
１５０に替えて他の光分割手段を用いても構わない。
【００６３】
また、上述のディスク判別技術は再生専用、再生／記録用、記録専用のいずれの光ディ
スク装置にも適用できる。さらに、上述のディスク判別技術は、出射光の波長が異なる複
数の光源と各光源ごとの光学系とを有する光ディスク装置にも適用可能である。さらに、
光ディスク装置１について、ＣＤ用、ＤＶＤ用およびＢＤ用のみならずさらに多くのレー
ザ光を出射可能な光源１１０を適用することも可能である。逆に、例えばＣＤ用レーザを
ＤＶＤ用レーザで兼用すること等によって出射光が２つ以下の光源１１０を適用すること
も可能である。
【００６４】
なお、上述の説明では光ディスク１０の判別技術を中心に述べるために、種々の構成を
省略している。例えば、再生信号については内周ＦＥ信号Ｓ２１２Ａと外周ＦＥ信号Ｓ２
１２Ｐとの一方に基づいて、または、内周ＦＥ信号Ｓ２１２Ａと外周ＦＥ信号Ｓ２１２Ｐ
との和（（Ａ＋Ｐ），（Ｂ＋Ｑ），（Ｃ＋Ｒ），（Ｄ＋Ｓ））に基づいて得ることができ
る。
【図面の簡単な説明】
【００６５】
【図１】は、本発明の原理を説明するための模式図である。
【図２】は、本発明の一実施形態に係る光ディスク装置のブロック図である。
【図３】は、本発明の一実施形態に係る光ディスク装置のホログラム（光分割手段）の模式図である。
【図４】は、本発明の一実施形態に係る光ディスク装置のブロック図である。
【図５】は、本発明の一実施形態に係る光ディスク装置の光検出器の模式図である。
【図６】は、本発明の一実施形態に係る光ディスク装置における内周フォーカスエラー信号および外周フォーカスエラー信号の生成を説明するための模式図である。
【図７】は、本発明の一実施形態に係る光ディスク装置における内周フォーカスエラー信号および外周フォーカスエラー信号の波形図である。
【図８】は、本発明の一実施形態に係る光ディスク装置のブロック図である。
【符号の説明】
【００６６】
１    光ディスク装置
１０    光ディスク
１２    情報記録面
１１０    光源
１１１    光
１１１Ａ    内周光
１１１Ｐ    外周光
１４０    対物レンズ
１４０Ａ    内周部分
１４０Ｐ    外周部分
１５０    ホログラム（光分割手段）
２００    比較手段
２１０Ａ    内周フォーカスエラー信号生成手段
２１０Ｐ    外周フォーカスエラー信号生成手段
２２０    タイミング差検出手段
２３０    フォーカスタイミング差検出手段
３００    ディスク判別手段
４００    フォーカス制御手段
Ｄ２１２    タイミング差
Ｓ２１２Ａ    内周フォーカスエラー信号
Ｓ２１２Ｐ    外周フォーカスエラー信号
Ｓ２２２    比較結果信号
【図１】
2006221683.tif 000003
【図２】
2006221683.tif 000004
【図３】
2006221683.tif 000005
【図４】
2006221683.tif 000006
【図５】
2006221683.tif 000007
【図６】
2006221683.tif 000008
【図７】
2006221683.tif 000009
【図８】
2006221683.tif 000010